(57)【要約】セルラ通信システムの無線アクセスネットワークにおいて、無線ネットワーク制御局（２６１）は、ユーザ機器ユニット（３０）に関与する接続のためにセルにおいて空中インタフェース（３２）により、（データを転送するために用いられる）共通転送チャネルを送信する際において、基地局（２８１−１）によって用いられる公称の電力レベルを設定する。その公称の電力レベルは、基地局が異なる電力制御方式（即ち、例えば、ユーザ機器ユニットから受信した情報に従って、基地局が選択的に公称の電力レベルを調整することができる電力制御方式）をサポートするかどうかとは独立に無線ネットワーク制御局により設定される。図示された実施形態において、その異なる電力制御方式により、基地局は選択的に、基地局によってサービスを受けるセルがそのユーザ機器ユニットとの接続のためのプライマリセルであるか或いはプライマリではないセルであるかに従って公称の電力レベルを調整することができる。もしそのセルがプライマリセルであるなら、基地局は、公称の電力レベルから電力のオフセット値を減算することにより公称の電力レベルを調整して、空中インタフェースにより共通転送チャネルのための実際のデータ伝送のために用いられる電力レベルを決定する。異なる実施形態では、そのオフセット値は、無線ネットワーク制御局から獲得されたり、或いは、基地局において局所的に構成される。本発明の１つの態様では、無線ネットワーク制御局は、基地局と無線ネットワーク制御局との間のユーザプレーンフレームプロトコルを用いて公称の電力レベルを設定する。実施形の例では、その共通転送チャネルはＵＴＲＡＮネットワークにおけるＤＳＣＨチャネルである。
2004528746.tif 000002
【特許請求の範囲】
【請求項１】
無線ネットワーク制御局（２６）と基地局（２８）とを有するセルラ通信システムの無線アクセスネットワーク（２４）において使用される方法であって、
前記無線ネットワーク制御局は、空中インタフェース（３２）により、ユーザ機器ユニット（３０）との接続のためにデータを転送する共通転送チャネルを送信する際において前記基地局によって用いられる公称の電力レベルを設定し、
前記公称の電力レベルは、前記基地局が異なる電力制御方式をサポートするかどうかとは独立に設定されることを特徴とする方法。
【請求項２】
前記異なる電力制御方式により、前記基地局は選択的に前記ユーザ機器ユーザから受信した情報に従って前記公称の電力レベルを調整することができることを特徴とする請求項１に記載の方法。
【請求項３】
前記異なる電力制御方式により、前記基地局は選択的に、前記基地局によりサービスを受けるセルが、前記接続のためのプライマリであるか或いはプライマリではないセルであるかに従って前記公称の電力レベルを調整することができることを特徴とする請求項２に記載の方法。
【請求項４】
さらに、もし前記基地局によってサービスを受けるセルが前記接続のためのプライマリセルではないか、或いは、前記基地局が前記異なる電力制御方式をサポートしないならば、前記基地局が、前記接続のための前記共通転送チャネルを用いて前記空中インタフェースにより前記公称の電力レベルでデータを送信し、
もし前記基地局が前記異なる電力制御方式をサポートするか、或いは、前記基地局によってサービスを受けるセルが前記接続のためのプライマリセルであるならば、前記基地局が、前記接続のための前記共通転送チャネルを用いて前記空中インタフェースにより前記公称の電力レベルより小さい電力レベルでデータを送信することを特徴とする請求項１に記載の方法。
【請求項５】
さらに、前記無線ネットワーク制御局が、前記小さい電力レベルを決定する上で用いられるオフセット値を前記基地局に通信することを特徴とする請求項４に記載の方法。
【請求項６】
さらに、前記無線ネットワーク制御局が、前記オフセット値をユーザプレーンにおいて前記基地局に通信することを特徴とする請求項５に記載の方法。
【請求項７】
さらに、前記無線ネットワーク制御局が、前記オフセット値を制御プレーンにおいて前記基地局に通信することを特徴とする請求項５に記載の方法。
【請求項８】
さらに、前記小さい電力レベルを決定する上で用いられるオフセット値を前記基地局において局所的に構成することを特徴とする請求項４に記載の方法。
【請求項９】
前記基地局と前記無線ネットワーク制御局との間におけるユーザプレーン・フレームプロトコルにおいて前記公称の電力レベルを設定することを特徴とする請求項１に記載の方法。
【請求項１０】
前記共通転送チャネルは、ＵＴＲＡＮネットワークにおけるＤＳＣＨチャネルであることを特徴とする請求項１に記載の方法。
【請求項１１】
無線ネットワーク制御局（２６）と基地局（２８）とを有するセルラ通信システムの無線アクセスネットワーク（２４）において使用される方法であって、
前記無線ネットワーク制御局は空中インタフェースによりユーザ機器ユニット（３０）との接続のためにデータを転送する共通転送チャネルを送信するための電力レベルを決定する際において、前記基地局によって選択的に用いられる電力のオフセット値を設定し、
前記基地局は、前記基地局によってサービスを受けるセルが前記制御のためのプライマリセルであるなら、前記電力のオフセット値を用いて前記電力レベルを決定し、
前記基地局は、前記サービスを受けるセルが前記接続のためのプライマリではないセルであるなら、前記電力レベルを決定するために前記電力のオフセット値を用いないことを特徴とする方法。
【請求項１２】
さらに、前記基地局は、前記ユーザ機器ユニットから、前記セルが前記接続のためのプライマリセルであるか或いは前記接続のためのプライマリではないセルであることを確認することを特徴とする請求項１１に記載の方法。
【請求項１３】
さらに、前記基地局は、もし前記セルが前記接続のためのプライマリセルであるなら、公称の電力値から前記電力のオフセット値を減算して前記電力レベルを決定することを特徴とする請求項１１に記載の方法。
【請求項１４】
さらに、前記無線ネットワーク制御局は、前記接続のための前記共通転送チャネルで用いられる前記公称の電力値を前記基地局に対して設定し通信することを特徴とする請求項１３に記載の方法。
【請求項１５】
前記無線ネットワーク制御局は、前記基地局と前記無線ネットワーク制御局との間におけるユーザプレーン・フレームプロトコルにおいて前記公称の電力レベルを設定することを特徴とする請求項１４に記載の方法。
【請求項１６】
前記共通転送チャネルは、ＵＴＲＡＮネットワークにおけるＤＳＣＨチャネルであることを特徴とする請求項１５に記載の方法。
【請求項１７】
前記無線ネットワーク制御局は、前記オフセット値をユーザプレーンにおいて前記基地局に通信することを特徴とする請求項１１に記載の方法。
【請求項１８】
前記無線ネットワーク制御局は、前記オフセット値を制御プレーンにおいて前記基地局に通信することを特徴とする請求項１１に記載の方法。
【請求項１９】
セルラ通信システムの無線アクセスネットワーク（２４）であって、
ユーザ機器ユニット（３０）との接続に関与し、空中インタフェース（３２）により前記ユーザ機器ユニットとの通信を行なう基地局（２８）と、
無線ネットワーク制御局（２６）とを有し、
前記無線ネットワーク制御局は、前記接続により用いられる共通転送チャネルを介して前記ユーザ機器ユニットに前記空中インタフェースによりデータを送信するために前記基地局によって用いられる公称の電力レベルを設定し、
前記公称の電力レベルは、前記基地局が異なる電力制御方式をサポートするかどうかとは独立に設定されることを特徴とする無線アクセスネットワーク。
【請求項２０】
前記異なる電力制御方式により、前記基地局は選択的に前記ユーザ機器ユーザから受信した情報に従って前記公称の電力レベルを調整することができることを特徴とする請求項１９に記載の無線アクセスネットワーク。
【請求項２１】
前記異なる電力制御方式により、前記基地局は選択的に、前記基地局によりサービスを受けるセルが前記接続のためのプライマリセルであるか或いはプライマリではないセルであるかに従って前記公称の電力レベルを調整することができることを特徴とする請求項２０に記載の無線アクセスネットワーク。
【請求項２２】
もし前記基地局によってサービスを受けるセルが前記接続のためのプライマリセルではないか、或いは、前記基地局が前記異なる電力制御方式をサポートしないならば、前記基地局は、前記公称の電力レベルで、前記接続のための前記共通転送チャネルにより搬送されるデータを前記空中インタフェースにより送信し、
もし前記基地局が前記異なる電力制御方式をサポートするか、或いは、前記基地局によってサービスを受けるセルが前記接続のためのプライマリセルであるならば、前記基地局は、前記公称の電力レベルより小さい電力レベルで、前記接続のための前記共通転送チャネルにより搬送されるデータを前記空中インタフェースにより送信することを特徴とする請求項２１に記載の無線アクセスネットワーク。
【請求項２３】
前記無線ネットワーク制御局は、前記小さい電力レベルを決定する上で用いられるオフセット値を前記基地局に通信することを特徴とする請求項２２に記載の無線アクセスネットワーク。
【請求項２４】
前記無線ネットワーク制御局は、前記オフセット値をユーザプレーンにおいて前記基地局に通信することを特徴とする請求項２３に記載の無線アクセスネットワーク。
【請求項２５】
前記無線ネットワーク制御局は、前記オフセット値を制御プレーンにおいて前記基地局に通信することを特徴とする請求項２３に記載の無線アクセスネットワーク。
【請求項２６】
前記小さい電力レベルを決定する上で用いられるオフセット値を前記基地局において局所的に構成する手段をさらに有することを特徴とする請求項２２に記載の無線アクセスネットワーク。
【請求項２７】
前記無線ネットワーク制御局は、前記基地局と前記無線ネットワーク制御局との間におけるユーザ・プレーン・フレーム・プロトコルにおける前記公称の電力レベルを設定することを特徴とする請求項１９に記載の無線アクセスネットワーク。
【請求項２８】
前記共通転送チャネルは、ＵＴＲＡＮネットワークにおけるＤＳＣＨチャネルであることを特徴とする請求項１９に記載の無線アクセスネットワーク。
【請求項２９】
セルラ通信システムの無線アクセスネットワーク（２４）であって、
ユーザ機器ユニット（３０）との接続に関与し、空中インタフェース（３２）により前記ユーザ機器ユニットと通信を行なう基地局（２８）と、
無線ネットワーク制御局（２６）とを有し、
前記無線ネットワーク制御局は、前記接続により用いられるセルにおける共通転送チャネルを介して前記ユーザ機器ユニットに前記空中インタフェースによりデータを送信するための電力レベルを決定する際において、前記基地局によって選択的に用いられる電力のオフセット値を設定し、
前記基地局は、前記セルが前記接続のためのプライマリセルであるなら、前記電力のオフセット値を用いて前記電力レベルを決定し、
前記基地局は、前記セルが前記接続のためのプライマリではないセルであるなら、前記電力レベルを決定するために前記電力のオフセット値を用いないことを特徴とする無線アクセスネットワーク。
【請求項３０】
前記基地局は、前記ユーザ機器ユニットから、前記セルが前記接続のためのプライマリセルであるか或いは前記接続のためのプライマリではないセルであることを確認することを特徴とする請求項２９に記載の無線アクセスネットワーク。
【請求項３１】
前記基地局は、もし前記セルが前記接続のためのプライマリセルであるなら、公称の電力値から前記電力のオフセット値を減算して前記電力レベルを決定することを特徴とする請求項２９に記載の無線アクセスネットワーク。
【請求項３２】
前記無線ネットワーク制御局は、前記接続のための前記共通転送チャネルで用いられる前記公称の電力値を前記基地局に対して設定し通信することを特徴とする請求項３１に記載の無線アクセスネットワーク。
【請求項３３】
前記無線ネットワーク制御局は、前記基地局と前記無線ネットワーク制御局との間におけるユーザ・プレーン・フレーム・プロトコルにおいて前記公称の電力レベルを設定することを特徴とする請求項３２に記載の無線アクセスネットワーク。
【請求項３４】
前記共通転送チャネルは、ＵＴＲＡＮネットワークにおけるＤＳＣＨチャネルであることを特徴とする請求項２９に記載の無線アクセスネットワーク。
【請求項３５】
前記無線ネットワーク制御局は、前記オフセット値をユーザプレーンにおいて前記基地局に通信することを特徴とする請求項２９に記載の無線アクセスネットワーク。
【請求項３６】
前記無線ネットワーク制御局は、前記オフセット値を制御プレーンにおいて前記基地局に通信することを特徴とする請求項２９に記載の無線アクセスネットワーク。
【請求項３７】
セルラ通信システムの無線アクセスネットワーク（２４）において用いられる基地局（２８）であって、前記基地局（２８）は、空中インタフェース（３２）によりセルにおけるユーザ機器ユニット（３０）との接続に関与し、
前記基地局は、前記基地局が前記セルにおける接続により用いられる共通転送チャネルにより搬送されるデータを前記空中インタフェースにより前記ユーザ機器ユニットに送信するための電力レベルを決定する電力レベル決定ユニット（１１０）を有し、
前記電力レベル決定ユニットは、選択的に電力オフセット値を用いて前記電力レベルを決定し、
前記基地局は、もし前記セルが前記接続のためのプライマリセルであるなら、前記電力オフセット値を利用して前記電力レベルを決定し、
前記基地局は、もし前記セルが前記接続のためのプライマリではないセルであるなら、前記電力レベルを決定するために前記電力オフセット値を利用しないことを特徴とする基地局。
【請求項３８】
前記基地局は、前記ユーザ機器ユニットから前記セルが前記接続のためのプライマリセルであるか或いは前記接続のためのプライマリではないセルであるかを確認することを特徴とする請求項３７に記載の基地局。
【請求項３９】
前記基地局は、もし前記セルが前記接続のためのプライマリセルであるなら、公称の電力値から前記電力オフセット値を減算して前記電力レベルを決定することを特徴とする請求項３７に記載の基地局。
【請求項４０】
前記電力オフセット値は、前記基地局において局所的に構成されることを特徴とする請求項３７に記載の基地局。
【請求項４１】
前記電力オフセット値は、無線ネットワーク制御局から確認されることを特徴とする請求項３７に記載の基地局。
【発明の詳細な説明】
【技術分野】
【０００１】
本発明は無線通信に関し、特に、無線（例えば、セルラ）通信システムの無線アクセスネットワークにおけるダウンリンク共有（例えば、共通）チャネルによる送信の電力制御に関するものである。
【背景技術】
【０００２】
典型的なセルラ無線システムにおいて、移動体ユーザ機器ユニット（ＵＥ）は無線アクセスネットワーク（ＲＡＮ）を介して１つ以上のコアネットワークに通信する。そのユーザ機器ユニット（ＵＥ）は移動電話（“セルラ”電話）や移動端末を備えたラップトップのような移動局でも良く、従って、音声とデータとの内少なくともいずれかを無線アクセスネットワークを用いて通信する、例えば、携帯型、ポケット型、手持ち型、コンピュータ内蔵型、或いは車輌積載型の移動体機器でも良い。
【０００３】
無線アクセスネットワーク（ＲＡＮ）は複数のセル領域に分割された地理的な領域をカバーし、各セル領域は基地局によってサービスを受ける。セルは地理的な領域であり、そこには無線カバレッジが基地局のある場所の無線基地局装置によって備えられる。各セルはユニークなアイデンティティにより識別され、それがセルにおいて同報される。基地局は空中インタフェース（例えば、無線周波数）により基地局の範囲内でユーザ機器ユニット（ＵＥ）と通信を行なう。無線アクセスネットワークでは、いくつかの基地局は通常は無線ネットワーク制御局（ＲＮＣ）と（例えば、ランドライン或いはマイクロ波により）接続されている。また、無線ネットワーク制御局は、しばしば基地局制御局（ＢＳＣ）とも呼ばれ、そこに接続されている複数の基地局の種々のアクティビティを監視し調整する。無線ネットワーク制御局は通常は１つ以上のコアネットワークに接続されている。
【０００４】
無線アクセスネットワークの一例は、世界規模の移動体通信サービス（ＵＭＴＳ）の地上無線アクセス網（ＵＴＲＡＮ）である。ＵＴＲＡＮは、いくつかの点について欧州で開発された汎欧州デジタル移動電話方式（ＧＳＭ）として知られる無線アクセス技術上に構築した第３世代のシステムである。ＵＴＲＡＮは本質的には、広帯域符号分割多元接続（Ｗ−ＣＤＭＡ）システムである。
【０００５】
当業者であれば認識するように、Ｗ−ＣＤＭＡ技術においては、共通の周波数バンドによりユーザ機器ユニット（ＵＥ）と複数の基地局との間の同時通信が可能になる。共通の周波数バンドを占有している信号は、高速の擬似ランダム（ＰＮ）符号の使用に基づくスペクトラム拡散ＣＤＭＡ波形の特質により受信局において判別される。これらの高速ＰＮコードが用いられて、基地局とユーザ機器ユニット（ＵＥ）から送信される信号を変調する。異なるＰＮコード（或いは、時間的なＰＮコードのオフセット）を用いる送信局では、受信局で別々に復調される信号を生成する。また、高速のＰＮ復調により受信局は、送信信号のいくつかの明瞭に異なる伝播経路を結合することにより、単一の送信局からの受信信号をうまく生成することができる。それ故に、ＣＤＭＡでは、ユーザ機器ユニット（ＵＥ）は、１つのセルから別のセルへの接続のハンドオフがなされるときに、周波数を切り換える必要はない。その結果、宛先のセルは、発信元のセルが接続のサービスを続けると同時に、ユーザ機器ユニット（ＵＥ）への接続をサポートできる。ユーザ機器ユニット（ＵＥ）は、ハンドオーバ期間には常に少なくとも１つのセルを通して通信を行なっているので、呼に対する中断はない。それ故に、これを“ソフトハンドオーバ”という。ハードハンドオーバとは対照的に、ソフトハンドオーバは“切断前接続（make-before-break）”切り換え動作である。
【０００６】
世界規模の移動体通信サービス（ＵＭＴＳ）の地上無線アクセス網（ＵＴＲＡＮ）は回路交換とパケット交換の両方の接続を取り込んでいる。この点に関して、ＵＴＲＡＮにおいては、回路交換接続は移動交換センタ（ＭＳＣ）と通信を行なう無線ネットワーク制御局（ＲＮＣ）を関与させる。また、ＭＳＣは、（例えば）公衆交換電話ネットワーク（ＰＳＴＮ）と統合型サービスデジタルネットワーク（ＩＳＤＮ）との少なくとものいずれかでも良い接続指向の外部コアネットワークに接続される。これに対して、ＵＴＲＡＮにおいて、パケット交換接続はサービスを行なっているＧＰＲＳサポートノード（ＳＧＳＮ）との通信を行なう無線ネットワーク制御局を関与させる。また、ＳＧＳＮは、バックボーンネットワークとゲートウェイＧＰＲＳサポートノード（ＧＧＳＮ）とを通じて、パケット交換ネットワーク（例えば、インターネット、Ｘ．２５外部ネットワーク）に接続される。
【０００７】
ＵＴＲＡＮには、関心のあるいくつかのインタフェースがある。無線ネットワーク制御局（ＲＮＣ）とコアネットワークとの間のインタフェースは、“Ｉｕ”インタフェースと名づけられる。無線ネットワーク制御局（ＲＮＣ）とその基地局（ＢＳ）との間のインタフェースは、“Ｉｕｂ”インタフェースと名づけられる。ユーザ機器ユニット（ＵＥ）と基地局との間のインタフェースは、“空中インタフェース”或いは“無線インタフェース”或いは“Ｕｕインタフェース”として知られている。幾つかの例では、接続にはサービスを行なう或いはソースＲＮＣ（ＳＲＮＣ）とターゲット或いはドリフトＲＮＣ（ＤＲＮＣ）の両方を関与させ、ＳＲＮＣでは接続を制御するがその接続の１つ以上のダイバーシティ・レッグがＤＲＮＣによって扱われる。ＲＮＣ間転送リンクは、ソースＲＮＣとドリフト或いはターゲットＲＮＣとの間での制御及びデータ信号の転送のために用いられ、例えば、以下の特許文献１に記載されているようなダイレクトリンク或いはロジカルリンクでも良い。無線ネットワーク制御局間（例えば、サービスを行なうＲＮＣ（ＳＲＮＣ）とドリフトＲＮＣ（ＤＲＮＣ）との間）でのインタフェースは、“Ｉｕｒ”インタフェースと名づけられる。
【特許文献１】
国際出願番号ＰＣＴ／ＵＳ９４／１２４１９（国際公開公報ＷＯ９５／１５６６５）
【０００８】
無線ネットワーク制御局（ＲＮＣ）はＵＴＲＡＮを制御する。その制御の役割を成し遂げるときに、ＲＮＣはＵＴＲＡＮの資源を管理する。ＲＮＣによって管理されるそのような資源は、（とりわけ）基地局により送信されるダウンリンク（ＤＬ）電力、基地局により感知されるアップリンク（ＵＬ）の干渉、及び基地局に位置するハードウェアを含んでいる。
【０００９】
当業者は、あるＲＡＮ−ＵＥ接続に関して、ＲＮＣはサービスを行なうＲＮＣ（ＳＲＮＣ）の役割或いはドリフトＲＮＣ（ＤＲＮＣ）の役割をもつことができることを認識するであろう。もし、ＲＮＣがサービスを行なうＲＮＣ（ＳＲＮＣ）であれば、そのＲＮＣはユーザ機器ユニット（ＵＥ）との接続を担当し、例えば、無線アクセスネットワーク（ＲＡＮ）内での接続を完全に制御する。これに対して、もしそのＲＮＣがドリフトＲＮＣ（ＤＲＮＣ）であれば、それはユーザ機器ユニット（ＵＥ）との接続に必要な無線資源（ドリフトＲＮＣ（ＤＲＮＣにより制御されるセル内で））を供給することによりサービスを行なうＲＮＣ（ＳＲＮＣ）をサポートする。ドリフト無線ネットワーク制御局（ＤＲＮＣ）とドリフト無線ネットワーク制御局（ＤＲＮＣ）によるＩｕｂインタフェースにより制御される基地局とを含むシステムは、ここでは、ＤＲＮＣシステム或いはＤＲＮＳとして参照される。
【００１０】
無線インタフェースについて、２つのグループの物理チャネルが定義される。即ち、専用物理チャネルと共通／共用物理チャネルである。専用物理チャネルは、１つのユーザ機器ユニット（ＵＥ）とコアノード（ＣＮ）との間で情報を転送するのに用いられる。言い換えると、物理チャネルはあるユーザ機器ユニット（ＵＥ）に対して専用なものとなる。これに対して、共通／共用物理チャネルは、ある種の多重化に基づいて多数のユーザ機器ユニット（ＵＥｓ）によって用いられる。用いられる多重化技術は、符号と時間分割の両方の多重化を含んでいる。
【００１１】
専用物理チャネルはさらに専用データチャネル（ＤＰＨＣＨ）と専用制御チャネル（ＤＰＣＣＨ）とに分割される。前者はユーザデータを搬送し、後者は無線接続に関連した制御情報、例えば、どのくらいのデータ転送速度が現在用いられているのかなどについての情報を搬送する。物理チャネルについてのさらなる詳細については、次の仕様の内、１つ以上を参照されたい（その全てはここで参照によってその全体が組み込まれる）。
【非特許文献１】
第３世代パートナーシッププロジェクト（３ＧＰＰ）技術仕様２５．２１１，ｖ．３．５．０（Third Generation Partnership Project (3GPP) Technical Specification 25.211, v.3.5.0）“物理チャネルと転送チャネルの物理チャネルへのマッピング（ＦＤＤ）（Physical Channels and Mapping of Transport Channels Onto Physical Channels (FDD)）”
【非特許文献２】
第３世代パートナーシッププロジェクト（３ＧＰＰ）技術仕様２５．２２１，ｖ．３．５．０（Third Generation Partnership Project (3GPP) Technical Specification 25.211, v.3.5.0）“物理チャネルと転送チャネルの物理チャネルへのマッピング（ＴＤＤ）（Physical Channels and Mapping of Transport Channels Onto Physical Channels (TDD)）”
【００１２】
例えば、ＧＳＭのような多くの無線アクセスネットワーク（ＲＡＮ）技術において、ユーザ機器ユニット（ＵＥ）は、時間的にどんな瞬間にも正常にただ情報を１つのＲＡＮセルと交換するであろう。そのユーザ機器ユニット（ＵＥ）がそのような無線アクセスネットワークにおいて、最初のセルから２番目のセルに移動するとき、ユーザ機器ユニット（ＵＥ）はその最初のセルから２番目のセルに“ハードハンドオーバ”として言及される動作で切り換えを行なう。
【００１３】
しかしながら、他のＲＡＮ技術（例えば、ＷＣＤＭＡ）においては、ユーザ機器ユニット（ＵＥ）がいくつかのＲＡＮセルと交換された情報をもつことができる。そのようなＲＡＮにおいては、ＵＥが最初のセルと２番目のセルの両方の到達範囲（カバレッジ）にある領域にいるとき、そのＵＥはより長い時間の間、その最初のセルと第２のセルの両方への無線リンクをもつことになる。これら両方の無線リンクは通常同じ情報を転送し、そのＵＥ（ダウンリンク）或いはＲＡＮ（アップリンク）は異なる無線リンクによって受信した情報を可能な最良の方法で結合する。上述のように、１つのＵＥに対して多数の無線リンクをもつ状況はしばしば“ソフトハンドオーバ”と呼ばれる。
【００１４】
ＵＴＲＡＮは、専用物理チャネルに対してのみソフトハンドオーバの状況をサポートする。その結果、もし、ＵＥが専用と共有の物理チャネルの両方を受信しているなら、それは多数のＵＴＲＡＮセルから並行に専用チャネルを受信できる一方、１つのＵＴＲＡＮセルを介してのみ共用チャネル情報を受信する。
【００１５】
もし、ＤＲＮＣがＵＥ−ＣＮ接続についての資源を提供しているなら、２種類の物理チャネルについてのＤＲＮＣの制御には大きな違いがある。専用物理チャネルに関し、ＤＲＮＣはそのＤＲＮＳ資源を介したＵＥ−ＣＮ接続の確立における許可制御に関与する。ＤＲＮＣがＵＥ−ＣＮ接続を許可してその資源を用いるとき、ＤＲＮＣはもはや直接的にはＵＥ−ＣＮ接続についての物理チャネル資源のスケジューリングには関与しない。そのタスクはＳＲＮＣによって実行される。ＤＲＮＣはＳＲＮＣに輻輳状態のような局所的な条件を通知して、例えば、ＳＲＮＣに専用物理チャネルについての情報転送速度を下げるように依頼する。
【００１６】
共通／共用物理チャネルについて、ＤＲＮＣはそのＤＲＮＳ資源を介したＵＥ−ＣＮ接続の確立における許可制御に関与する。加えて、これは、この基地局を用いる多数のＵＥｓにより用いられる共通／共用物理チャネルであるので、ＤＲＮＣは連続的に物理チャネルについての資源の最終的なスケジューリングを実行する。
【００１７】
無線アクセスネットワーク（ＲＡＮ）からユーザ機器ユニット（ＵＥ）へのダウンリンク方向において、ＤＲＮＣにおけるスケジューリングのために、ＵＥは通常、どの共通／共有物理チャネル資源がＲＡＮにより時間的な各時々におけるそのＵＥ−ＣＮ接続のために用いられているのかを知らない。この不確実性を克服するために、ＵＥは全ての共通／共有物理チャネル資源を聴取しその資源がそのＵＥ−ＣＮ接続のために用いられているのかを検出することができるし、或いは、ＲＡＮがＵＥに時間的なある時点で用いられている共通／共用資源について通知することができる。
【００１８】
第２の解決策に沿って、ＲＡＮは、ＵＥは共通／共用物理チャネル資源、例えば、並行的に確立された専用物理チャネルで時間的にある瞬間に用いられるＤＳＣＨについて通知される方法をサポートしている。
【００１９】
世界規模の移動体通信サービス（ＵＭＴＳ）の地上無線アクセス網（ＵＴＲＡＮ）において、無線インタフェースには、共通転送チャネルと専用転送チャネルとがある。共通転送チャネルは、アップリンク・ランダム・アクセス・チャネル（ＲＡＣＨ）、ダウンリンク・フォワード・アクセス・チャネル（ＦＡＣＨ）、アップリンク共通パケットチャネル（ＣＰＣＨ）、アップリンク共有チャネル（ＵＳＣＨ）、及びダウンリンク共有チャネル（ＤＳＣＨ）である。専用転送チャネルは専用チャネル（ＤＣＨ）である。ＵＭＴＳにおける転送チャネルは以下の仕様書の内１つ以上に記載されている（その全てはここで参照によってその全体が組み込まれる）。
【非特許文献３】
第３世代パートナーシッププロジェクト（３ＧＰＰ）技術仕様２５．２１１，ｖ．３．５．０（Third Generation Partnership Project (3GPP) Technical Specification 25.211, v.3.5.0）“物理チャネルと転送チャネルの物理チャネルへのマッピング（ＦＤＤ）（Physical Channels and Mapping of Transport Channels Onto Physical Channels (FDD)）”
【非特許文献４】
第３世代パートナーシッププロジェクト（３ＧＰＰ）技術仕様２５．２２１，ｖ．３．５．０（Third Generation Partnership Project (3GPP) Technical Specification 25.211, v.3.5.0）“物理チャネルと転送チャネルの物理チャネルへのマッピング（ＴＤＤ）（Physical Channels and Mapping of Transport Channels Onto Physical Channels (TDD)）”
【非特許文献５】
第３世代パートナーシッププロジェクト（３ＧＰＰ）技術仕様２５．３３１，ｖ．３．５．０（Third Generation Partnership Project (3GPP) Technical Specification 25.331, v.3.5.0）“ＲＲＣプロトコル仕様（ＲＲＣ protocol specification）”
【００２０】
共通転送チャネル（ＤＳＣＨ）はデータを多くの異なるＵＥｓに転送するのに用いられる。多重化は、ＵＥにこのＵＥに向かう伝送のために時間的に各時々において用いられるＤＳＣＨ資源について、そのＤＳＣＨとは並行に確立された専用物理チャネルで通知することにより成し遂げられる。
【００２１】
ＣＲＮＣ（ＵＥについてＤＲＮＣとしての役割を仮定すると）は、ＤＳＣＨ転送チャネルで異なるＵＥのためにＳＲＮＣから受信するデータをスケジュールする。ＤＳＣＨデータ伝送をスケジュールするとき、ＣＲＮＣはＵＥに向かって送信される各ＤＳＣＨデータのために用いられる電力レベルを決定する。この電力レベルは、ＣＲＮＣと基地局との間のユーザ・プレーン・フレーム・プロトコルにおいて基地局に対して示される。１９９９年リリースの仕様書では、ＣＲＮＣはプライマリＣＰＩＣＨの電力レベルに対するオフセットを示している。そのプライマリＣＰＩＣＨの電力レベルは固定され、ＣＲＮＣとＢＳ（セルを構成するときＣＲＮＣにより決定される）の両方により知られる。ＤＳＣＨのために用いられるＣＲＮＣと基地局との間のユーザ・プレーン・フレーム・プロトコルについてのより詳細については、以下の非特許文献６を参照されたい。
【非特許文献６】
第３世代パートナーシッププロジェクト（３ＧＰＰ）技術仕様２５．４３５，ｖ．３．５．０（Third Generation Partnership Project (3GPP) Technical Specification 25.435, v.3.5.0）“共通転送チャネルデータストリームのためのＵＴＲＡＮ  Ｉｕｂインタフェースのユーザ・プレーン・プロトコル）（UTRAN Iub Interface User Plane Protocols for Common Transport Channel Data Streams）”
【００２２】
サイト選択ダイバーシティ送信電力制御（ＳＳＤＴ：Site Selection Diversity Transmit power control）は１つの方式であり、これにより、ソフトハンドオーバにおけるユーザ機器ユニット（ＵＥ)はそれが接続されるセル（基地局）を通知し、それらのセルの内の１つがプライマリ（最良）セルとみなされ、その結果、それが接続される他のセルは２次的セル（プライマリではない）となる。この方式は、通常は基地局がダウンリンクにおいてＤＰＤＣＨとＤＰＣＣＨの両方を送信するように定義される。しかしながら、プライマリではないセルについて、ネットワークはＤＰＣＣＨだけが送信されるようにダウンリンクにおける電力を削減（或いはスイッチオフ）しても良い。
【００２３】
１９９９年リリースの３ＧＰＰ仕様書では、ＤＳＣＨの電力は、ＤＳＣＨデータをスケジュールするＲＮＣ、即ち、ＣＲＮＣにより設定される。しかしながら、ＣＲＮＣはＤＳＣＨを搬送するセルがプライマリであるかプライマリではないセルであるかどうかについての情報を何ももっていない。
【００２４】
３ＧＰＰのリリース４では、ネットワークがＳＳＤＴ情報を用いてＤＳＣＨの最終的な電力レベルを決定することができるようにして、この電力制御を改善することが提案されている。このことは結果として、もしＤＳＣＨを搬送するセルがプライマリセルであるならより低い電力レベルとなり、もしＤＳＣＨを搬送するセルがプライマリセルではないならより高い電力レベルとなる可能性がある。なお、ＤＳＣＨはソフトハンドオーバにおいては用いられないが、１つの無線リンクではただ常に存在はする。
【００２５】
ネットワーク制御について３ＧＰＰのＲＡＮ３で検討された現在のプロポーザルでは、もしセルがプライマリではないセルであるなら、ＣＲＮＣが基地局に用いられる電力オフセット（ＰDSCH-secondary）を提供する。このことは、もしユーザ・プレーン・フレーム・プロトコルにおいて示唆される電力レベルがＰDSCHであるなら、次の電力レベルが印加されることを意味する。
【００２６】
ＤＳＣＨはプライマリセルにより搬送され、ＰDSCHである。
【００２７】
ＤＳＣＨはプライマリではないセルにより搬送され、ＰDSCH＋ＰDSCH-secondaryである。
【００２８】
３ＧＰＰにおいて提案される機構は、もしセルがプライマリではないセル（ＰDSCH-secondary）であるなら、ＤＳＣＨを確立するときにＣＲＮＣから基地局に対して用いられる電力オフセット（ＰDSCH-secondary）を信号発信することである。
【００２９】
ＣＲＮＣは基地局が（この付加的なオフセットに基づいた）改善されたＤＳＣＨ電力制御方式をサポートしているかどうかを知らないので、この特徴についてのサポートはＣＲＮＣに対して信号を返送してやらねばならない。もし基地局がＣＲＮＣにこの新しい特徴を備えることができることを通知するならば、そのＣＲＮＣは結果として得られる電力がＰDSCHであるようにユーザプレーンにおいてスケジュールされたデータにその電力レベルを設定しなければならない。これに対して、もし基地局がＣＲＮＣにこの新しい特徴をサポートしていないことを通知するならば、そのＣＲＮＣは結果として得られる電力がＰDSCH＋ＰDSCH-secondaryであるようにユーザプレーンにおいてスケジュールされたデータにその電力レベルを設定しなければならない。このことは、もしＤＳＣＨがプライマリではないセルにより搬送されることが生じるなら、十分な電力レベルを保証することになる。
【発明の開示】
【発明が解決しようとする課題】
【００３０】
３ＧＰＰのリリース４で現在提案されている解決策は、その機構の制御は不必要に複雑になるという欠点がある。ＣＲＮＣは、基地局がＤＳＣＨについての新しい電力制御方式をサポートしているかどうかについての情報を、どの程度の電力レベルを（ユーザプレーンにおいて）ＤＳＣＨに設定するのかを決定できる前に、待ち合わせる必要がある。
【００３１】
それ故に、必要なことは、そして、本発明の目的は、ＤＳＣＨについての単純化した電力制御方式である。
【課題を解決するための手段】
【００３２】
発  明  の  簡  単  な  要  約
セルラ通信システムの無線アクセスネットワークにおいて、無線ネットワーク制御局は、空中インタフェースにより、ユーザ機器ユニットに関与する接続のために（データを転送するために用いられる）共通転送チャネルを送信する際において基地局によって用いられる公称の電力レベルを設定する。その公称の電力レベルは、基地局が異なる電力制御方式（即ち、例えば、ユーザ機器ユニットから受信した情報に従って、基地局が選択的に公称の電力レベルを調整することができる電力制御方式）をサポートするかどうかとは独立に無線ネットワーク制御局により設定される。
【００３３】
図示して説明された実施形態において、その異なる電力制御方式により、基地局は選択的に、そのユーザ機器ユニットとの接続に関与するセルがプライマリセルであるか或いはプライマリではないセルであるかに従って公称の電力レベルを調整することができる。特に、もしそのセルが接続のためのプライマリセルではないか、或いは、その基地局が異なる電力制御方式をサポートしないならば、基地局が、無線ネットワーク制御局により設定された公称の電力レベルで、その接続のため空中インタフェースにより共通転送チャネルのためのデータを送信する。或いは、もし基地局が異なる電力制御方式をサポートするか、或いは、そのセルがユーザ機器ユニットとの接続のためのプライマリな基地局であるならば、その基地局が、公称の電力レベルより小さい電力レベルで、その接続のため共通転送チャネルのためのデータを送信する。
【００３４】
その基地局は、公称の電力値から電力のオフセット値を減算して、空中インタフェースにより共通転送チャネルのための実際のデータ伝送のために用いられる小さくなった電力レベルを決定する。異なる実施形態では、そのオフセット値は異なる方法で得られる。例えば、１つの実施形態では、無線ネットワーク制御局は、そのオフセット値を基地局に通信する。別の実施形態では、基地局はそのオフセット値で局所的に構成される。
【００３５】
本発明の１つの態様では、無線ネットワーク制御局は、基地局と無線ネットワーク制御局との間のユーザプレーンフレームプロトコルを用いて公称の電力レベルを設定する。実施形の例では、その共通転送チャネルはＵＴＲＡＮネットワークにおけるＤＳＣＨチャネルである。
【００３６】
様々な側面の１つにおいて、本発明は、接続により用いられるセルにおける共通転送チャネルについて空中インタフェースによりユーザ機器ユニットにデータを送信するための電力レベルを決定する電力レベル決定ユニット或いは送信電力レベルコントローラを有する基地局に関するものである。その電力レベル決定ユニットは、選択的に電力オフセット値を用いて電力レベルを決定する。その電力レベル決定ユニットは、もし用いられるセルが前記接続のためのプライマリセルであるなら、その電力オフセット値を利用して電力レベルを決定するが、もしそのセルがその接続のためのプライマリセルではない（例えば、２次的セル）なら、その電力レベルを決定するためにその電力オフセット値を利用しない。オフセット値は無線ネットワーク制御局から獲得しても良いし、或いは基地局で局所的に構成されても良い。
【００３７】
本発明の前述などの目的と特徴と利点とは、添付図面において図示されるように好適な実施形態についての次のより具体的な記述から明らかになるであろう。その添付図面において、参照記号は種々の図面を通じて同じ部分に言及している。その図面は、必ずしもスケールをきちんを決める必要はなく、その代わりに本発明の原理を図解することに重きが置かれている。
【発明を実施するための最良の形態】
【００３８】
次の記載では、限定ではなく説明を目的として、本発明の完全な理解を提供するために特定のアーキテクチュア、インタフェース、技術などの具体的な詳細が説明される。しかしながら、本発明がこれらの詳細な説明から離れた他の実施形態において実践されても良いことが当業者には明らかである。他の例では、公知の機器、回路、及び方法の詳細な説明は、不必要な詳細な説明により本発明の説明をあいまいなものとしないように省略される。さらにその上、個々の機能ブロックが図面のいくつかには示されている。当業者であれば、個々のハードウェア回路と、適切にプログラムされたデジタルマイクロプロセッサ或いは汎用コントローラとの関連で機能するソフトウェアと、アプリケーション専用集積回路（ＡＳＩＣ）と、１つ以上のデジタル信号プロセッサ（ＤＳＰ）との少なくともいずれかを用いて、これらの機能が実現されても良いことを認識するであろう。
【００３９】
本発明は、図１に示される世界規模の移動体通信（ＵＭＴＳ）１０の非限定的な例の環境下で説明される。雲形１２として示されている代表的な接続指向の外部コアネットワークは、例えば、公衆交換電話ネットワーク（ＰＳＴＮ）と統合型サービスデジタルネットワーク（ＩＳＤＮ）との少なくとものいずれかで良い。雲形１４として示されている代表的な非接続指向の外部コアネットワークは、例えば、インターネットでも良い。両方のコアネットワークはそれらが対応するサービスノード１６に接続される。ＰＳＴＮ／ＩＳＤＮの接続指向型ネットワーク１２は回路交換サービスを提供する移動体交換センタ（ＭＳＣ）ノード１８として示されている接続指向型のサービスノードに接続される。インターネットのような非接続指向型のネットワーク１４は、しばしば、サービスを行なうＧＰＲＳサービスノード（ＳＧＳＮ）として言及されるパケット交換型のサービスを提供するためにあつらえられた汎用パケット無線サービス（ＧＰＲＳ）ノード２０に接続される。
【００４０】
コアネットワークサービスノード１８と２０の夫々は、Ｉｕインタフェースとして言及されている無線アクセスネットワーク（ＲＡＮ）インタフェースによりＵＭＴＳの地上無線アクセス網（ＵＴＲＡＮ）２４に接続している。ＵＴＲＡＮ２４は１つ以上の無線ネットワーク制御局（ＲＮＣ）２６を含んでいる。説明を単純にするために、図１のＵＴＲＡＮ２４には２つだけのＲＮＣノード、特に、サービスを行なう無線ネットワーク制御局（ＳＲＮＣ）２６1とドリフト無線ネットワーク制御局（ＤＲＮＣ）２６2とが示されている。各ＲＮＣ２６は複数の基地局（ＢＳ）２８に接続されている。例えば、再び説明を簡単にするために、２つの基地局ノードが各ＲＮＣ２６に接続されているように示されている。この点について、ＳＲＮＣ２６1は基地局２８1-1と基地局２８1-2にサービスを行なう一方、ＳＲＮＣ２６2は基地局２８2-1と基地局２８2-2にサービスを行なう。異なる数の基地局が各ＲＮＣによりサービスを受け、ＲＮＣは同じ数の基地局にサービスを行なう必要はないことが認識される。さらにその上、図１はＲＮＣがＩｕｒインタフェースによりＵＴＲＡＮ２４において１つ以上の別のＲＮＣに接続されることを示している。
【００４１】
図示された実施形態において、各基地局２８は１つのセルにサービスを行なうものとして示されている。各セルは各基地局を囲む円によって表現されている。しかしながら、基地局は１個以上のセルに対して空中インタフェースにより通信を行なうためにサービスを行っても良いことが当業者には認識されるであろう。例えば、２つのセルが同じ基地局のサイトに位置する資源を用いても良い。
【００４２】
図１に示されているユーザ機器ユニット（ＵＥ）３０のようなユーザ機器ユニット（ＵＥ）は１つ以上のセル或いは１つ以上の基地局（ＢＳ）２８と無線或いは空中インタフェース３２を介して通信をする。無線インタフェース３２とＩｕインタフェースとＩｕｂインタフェースとＩｕｒインタフェースの各々は、一点鎖線で示されている。図１で示された時点で、ユーザ機器ユニット（ＵＥ）３０は基地局２８2-1を介して接続の脚１００2-1をもっている。基地局２８2-1によりサービスを受けるセルは、ドリフト無線ネットワーク制御局（ＤＲＮＣ）２６2のＤＲＮＳにある。図１には図示されてはいないが、ユーザ機器ユニット（ＵＥ）３０に関与する接続は、他の脚、即ち、サービスを行う無線ネットワーク制御局（ＳＲＮＣ）２６1によって制御される基地局において１つ以上の脚をもつかもしれない。例えば、基地局２８1-2を介してユーザ機器ユニット（ＵＥ）３０に関与する接続の他の脚があるかもしれない。
【００４３】
転送チャネル、物理チャネル、及び論理チャネルは、図１のＵＭＴＳの地上無線アクセス網（ＵＴＲＡＮ）において利用される。無線インタフェースＵｕによって利用される共通転送チャネルの間では、ＲＡＣＨ及びＦＡＣＨ共通転送チャネルがある。無線接続は、ＣＤＭＡ拡散コードを用いて割当てられた個々の無線チャネルを備えた広帯域符号分割多元接続（ＷＣＤＭＡ）に基づくのが好ましい。もちろん、他の接続方法が採用されても良い。ＷＣＤＭＡはマルチメディアサービスと他の高速送信要求とダイバーシティハンドオフとＲＡＫＥ受信機のような耐性の強い特徴のための広帯域を備え、高品質を保証している。各ユーザ移動局或いは機器ユニット（ＵＥ）３０はそれ自身のスクランブルコードが割当てられ、基地局２８が特定のユーザ機器ユニット（ＵＥ）からの伝送を識別するとともに、ユーザ機器ユニット（ＵＥ）がそのユーザ機器ユニット（ＵＥ）に対して意図された基地局からの伝送を同じ領域に存在する他の全ての送信と雑音とから識別する。
【００４４】
図２は、ユーザ機器ユニット（ＵＥ）３０と無線ネットワーク制御局２６と基地局２８のような例示的なノードの選択された概要を示している。図２に示されたユーザ機器ユニット（ＵＥ）３０は、ユーザ機器ユニット（ＵＥ）により要求された種々の動作を制御するデータ処理制御ユニット３１を含んでいる。ＵＥのデータ処理制御ユニット３１は、アンテナ３５に接続された無線トランシーバ３３への制御信号とデータとを提供する。
【００４５】
図２に示されている無線ネットワーク制御局２６と基地局２８の例は、夫々が、ＲＮＣ２６とユーザ機器ユニット（ＵＥｓ）３０との間での通信を行うのに必要とされる数多くの無線とデータの処理動作を実行する対応するデータ処理制御ユニット３６と３７とを夫々含む無線ネットワークノードである。基地局のデータ処理制御ユニット３７によって制御される機器の一部は、１つ以上のアンテナ３９に接続される複数の無線トランシーバ３８を含む。
【００４６】
種々の特徴的な側面の１つにおいて、本発明は特に改善された技術に関係しており、それにより（図１の無線ネットワーク制御局２６1のような）無線ネットワーク制御局は、ユーザ機器ユニットに関与する接続のために空中インタフェースにより（データを転送するのに用いられる）共通転送チャネルを送信するのに用いる基地局により用いられる公称の電力レベルを設定する。その公称電力レベルは、基地局が異なる電力制御方式（即ち、例えば、基地局が選択的にユーザ機器ユニットから受信される情報に従って、その公称電力レベルを調整するのを可能にする電力制御方式）をサポートするかどうかとは独立に無線ネットワーク制御局によって設定される。
【００４７】
図示された限定的ではない実施形態の例において、無線ネットワーク制御局（ＲＮＣ）２６1はＤＳＣＨ電力制御機能１００を含む。図２に示されているように、ＤＳＣＨ電力制御機能１００は公称電力計算器１０２をもっている。本発明の１つの実施形態において、ＤＳＣＨ電力制御機能１００はまた、オフセット計算器１０４を含んでいる。公称電力計算器１０２は、ユーザ機器ユニット（ＵＥ）３０との接続に関与するセルのために、空中インタフェース３２により（例えば、ＤＳＣＨのように、データを転送するのに用いられる）共通転送チャネルを送信する際に、（基地局２８1-1のような）基地局により用いられる公称電力レベルを設定する。その公称電力レベルは基地局２８1-1と通信される。ＤＳＣＨ電力制御機能１００に含まれるとき、オフセット計算器１０４は基地局２８1-1に通信されるオフセット値を決定する。
【００４８】
セルについての公称電力レベルを決定する上で公称電力計算器１０２により用いられる種々の基準がある。そのような決定技術と、共通転送チャネルにおける送信電力を調整する際に考慮されるかもしれない因子の例とは、発明の名称を“共通転送チャネルのダウンリンク電力制御（Downlink Power Control Of A Common Transport Channel）”という２００１年１月１２日出願の米国特許仮出願シリアル番号第６０／２６０，８９１号（代理人番号２３８０−２９４）に記載されており、その出願はその全体がここで参照により組み込まれる。
【００４９】
基地局２８1-1は、無線ネットワーク制御局（ＲＮＣ）２６1により設定される公称電力レベルを受信する際、ユーザ機器ユニット（ＵＥ）３０への空中インタフェース３２によるセルのためにＤＳＣＨを送信する上で基地局２８1-1の適当な無線トランシーバ３８により利用される実際の電力レベルを計算、さもなければ決定するＤＳＣＨ送信電力レベルコントローラ１１０を含んでいる。その図示された実施形態において、ＤＳＣＨ送信電力レベルコントローラ１１０により容易になる異なる電力制御方式は、選択的に公称電力レベルを調整することによりセルについての実際の電力レベルを決定或いは設定する。公称の電力レベルの選択的な調整は、そのセルがユーザ機器ユニット（ＵＥ）３０との接続のためにプライマリセルとして指定されているか、或いはプライマリではないセルとして指定されているのかに依存する。特に、基地局２８1-1のＤＳＣＨ送信電力レベルコントローラ１１０は、もし、セルがその接続についてのプライマリセルであるなら、無線ネットワーク制御局（ＲＮＣ）２６1によって設定される公称電力レベルで、その接続に関与するセルのためのＤＳＣＨについての実際の電力レベルを設定する。或いは、基地局２８1-1のＤＳＣＨ送信電力レベルコントローラ１１０は、もし、セルがユーザ機器ユニット（ＵＥ）３０との接続についてのプライマリセルであるなら、小さい公称電力レベル（例えば、公称の電力レベルより小さい）で、その接続に関与するセルのためのＤＳＣＨについての実際の電力レベルを設定する。後者のことについては、基地局２８1-1は、公称電力レベルからオフセット値を減算して、空中インタフェース３２による共通転送チャネルについてのデータ送信のための実際の電力レベルに用いられる小さくされた電力レベルを決定する。
【００５０】
異なる実施形態では、オフセット値は異なる方法で獲得できる。例えば、１つの実施形態では、ＤＳＣＨ電力制御機能１００のオフセット計算器１０４は無線ネットワーク制御局（ＲＮＣ）２６1によって通信されるオフセット値を基地局２８1-1に設定する。図３Ｄと図４Ｄとに図示されている別の実施形態では、基地局はオフセット値を局所的に構成する。ＤＳＣＨは適当な無線トランシーバ３８とアンテナ３９とにより空中インタフェース３２により実際の電力レベルでユーザ機器ユニット（ＵＥ）３０に送信される。
【００５１】
３ＧＰＰにより開発されたＷＣＤＭＡ仕様において、１つのユーザ機器ユニット（ＵＥ）についてのＤＳＣＨは、ある時点に１つのセルで接続されるだけである。しかしながら、ＤＳＣＨは、ソフトハンドオーバの状態にあるかもしれない専用転送チャネルとともに確立される。ソフトハンドオーバの状態では、ＤＳＣＨは１つのセルから別のセルへと移動してＤＳＣＨが“最良の”セルを介して接続されるようにできる。このことは、ＤＳＣＨを“移動する”前に、データが基地局２８1-1を介して通信され、そして、その移動後には、たとえユーザ機器ユニット（ＵＥ）が同時に専用転送チャネルを用いて基地局２８1-1と基地局２８1-2の両方におけるセルにおいてソフトハンドオーバにおいて接続されるとしても、基地局２８1-2を介して通信されることを意味する。当業者であれば、基地局２８1-2におけるセルがネットワークにより“最良の”セルとしてみなされるにもかかわらず、基地局２８1-2におけるセルがプライマリセルであるか或いは２次的なセルであるのかはＵＥによって決定され、ネットワークに信号で伝えられることを理解するであろう。
【００５２】
３ＧＰＰにより開発されたＷＣＤＭＡ仕様において、１つのユーザ機器ユニット（ＵＥ）についてのＤＳＣＨは、ある時点に１つのセルで接続されるだけである。しかしながら、ソフトハンドオーバの状態では、ＤＳＣＨは１つのセルから別のセルへと移動してＤＳＣＨが“最良の”セルを介して接続されるようにできる。このことは、ＤＳＣＨを“移動する”前に、公称の電力（及びＤＳＣＨデータ）がＢＳ２８1-1を介して通信され、そして、その移動後には、たとえＵＥが同時に専用転送チャネルを用いてＢＳ２８1-1とＢＳ２８1-2の両方を介しソフトハンドオーバにおいて接続されるとしても、ＢＳ２８1-2を介して通信されることを意味する。
【００５３】
ここで説明され図１と図２において一般的に描写された限定的ではないシナリオの例において、例えば、ＤＳＣＨ電力制御機能１００は無線ネットワーク制御局（ＲＮＣ）２６1のデータ処理制御ユニット３７により実行され、ＤＳＣＨ送信電力レベルコントローラ１１０は基地局２８1-1のデータ処理制御ユニット３６により実行される。しかしながら、ＤＳＣＨ電力制御機能１００とＤＳＣＨ送信電力レベルコントローラ１１０は、１つの方法でも良いし、その組み合わせでも良いが、種々の代替的な方法で実現され、それは、個々のハードウェア回路と、適切にプログラムされたデジタルマイクロプロセッサ或いは汎用コンピュータとの関連で機能するソフトウェアと、アプリケーション専用集積回路（ＡＳＩＣ）と、１つ以上のデジタル信号プロセッサ（ＤＳＰｓ）との内少なくともいずれかを用いることが含まれる。
【００５４】
本発明の１つの態様においては、無線ネットワーク制御局は、基地局と無線ネットワーク制御局との間のユーザ・プレーン・フレーム・プロトコルを用いて公称の電力レベルを設定する。実施形の例において、共通転送チャネルはＵＴＲＡＮネットワークにおけるＤＳＣＨチャネルである。
【００５５】
図３Ａはユーザ機器ユニット（ＵＥ）３０との接続に関与するセルがプライマリセルとして指定され、異なる電力制御方式をもつ基地局２８1-1によりサービスを受けるシナリオの例を示している。図４Ａは図３Ａのシナリオで送信されるあるメッセージの例を示している。
【００５６】
図３Ａと図４Ａのシナリオにおいて、メッセージ４Ａ−１として、無線ネットワーク制御局（ＲＮＣ）２６1は、基地局２８1-1に、ユーザ機器ユニット（ＵＥ）３０との接続に関与するセルにおいて利用されるＤＳＣＨの送信のための実際の電力レベルを決定する上で用いられるオフセット値をダウンロードする。図３Ａと図４Ａのシナリオでは、オフセット値はＤＳＣＨ電力制御機能１００のオフセット計算器１０４（図２を参照）によって決定される。ここで図示したこの実施形態と他の実施形態において、オフセット値メッセージ４Ａ−１は制御プレーンにおいて送信されるのが好ましい。しかしながら、さらに別の実施形態では、そのオフセット値のメッセージ４Ａ−１はその代わりにユーザプレーンで送信されても良い。
【００５７】
その後、適当な時刻に、ユーザ機器ユニット（ＵＥ）３０は基地局２８1-1にユーザ機器ユニットとの接続に関与するセルがその接続のためのプライマリセルであることを通知する。そのような通知は図３Ａと図４Ａにおいてメッセージ４Ａ−２によって描かれている。メッセージ４Ａ−２の通知は前述のサイト選択ダイバーシティ送信電力制御（ＳＳＤＴ）方式に従ったものであり、従ってここでは詳細に記載されていない。
【００５８】
図４Ａはさらに、メッセージ４Ａ−３として、ユーザ機器ユニット（ＵＥ）３０のためにプライマリセルにおいて利用されるＤＳＣＨに関する公称電力レベルを基地局２８1-1に送信する無線ネットワーク制御局（ＲＮＣ）２６1を示している。図４Ａにおいて、メッセージ４Ａ−３は一点鎖線によって描かれ、このメッセージが基地局２８1-1と無線ネットワーク制御局（ＲＮＣ）２６1との間のユーザ・プレーン・フレーム・プロトコルを用いて送信されるという事実を反映している。ユーザ・プレーン・フレーム・プロトコルにあるので、メッセージ４Ａ−３はまた、無線ネットワーク制御局（ＲＮＣ）２６1から基地局２８1-1へＤＳＣＨデータを搬送する。
【００５９】
図４Ａの事象４Ａ−４は、ユーザ機器ユニット（ＵＥ）３０との接続によって利用されるプライマリセルにおけるＤＳＣＨのついての実際のＤＳＣＨ電力レベルを計算する基地局２８1-1を示している。図３Ａと図４Ａのシナリオでは、基地局２８1-1のＤＳＣＨ送信電力コントローラ１１０は、メッセージ４Ａ−２の電力オフセット値を利用して実際の電力レベルを計算するか或いは決定する。特に、事象４Ａ−４により示されているように、基地局２８1-1のＤＳＣＨ送信電力レベルコントローラ１１０は公称電力値（メッセージ４Ａ−３を介して取得する）から電力オフセット値（メッセージ４Ａ−２を介して取得する）を減算して実際の電力レベルを決定する。事象４Ａ−４において決定されたような電力レベルが用いられて無線トランシーバ３８の実際の電力レベルを設定する。そのとき、無線トランシーバ３８は、図４Ａの事象４Ａ−５によって示されているように、基地局２８1-1からユーザ機器ユニット（ＵＥ）３０に空中インタフェース３２により実際の電力レベルを用いてＤＳＣＨデータを送信する。
【００６０】
図４Ａに示されたあるタイミングシーケンスとここでの類似の図は、（たとえ、メッセージ４Ａ−２の前にメッセージ４Ａ−１があるという順序はたぶん通常の状態であるとしても）（例えば）メッセージ４Ａ−１がメッセージ４Ａ−２の送信後に送信されるので、厳密には順次的ではないことが理解されるべきである。
【００６１】
図３Ｂは、ユーザ機器ユニット（ＵＥ）３０との接続に関与するセルがプライマリではないセル或いは２次的セルとして指定され、異なる電力制御方式をもつ基地局２８1-1によりサービスを受けるシナリオの例を示している。図４Ｂは、図３Ｂのシナリオで送信されるあるメッセージの例を示している。
【００６２】
図３Ｂと図４Ｂとのシナリオは、図３Ａと図４Ａとのそれとは、通知メッセージ４Ｂ−２基地局２８1-1にユーザ機器ユニット（ＵＥ）３０との接続に関与するセルがプライマリではないセル（例えば、２次的セル）であることを知らせる点で異なっている。そのような通知の観点からすれば、事象４Ｂ−４として、ＤＳＣＨ送信電力レベルコントローラ１１０は、異なった方法でユーザ機器ユニット（ＵＥ）３０との接続に関与しているセルのためのＤＳＣＨについての実際の電力レベルを決定する。具体的には、事象４Ｂ−４として、ＤＳＣＨ送信電力レベルコントローラ１１０は実際の電力レベルとして（メッセージ４Ｂ−３を介して通信される）公称の電力レベルを用いる。それから、無線トランシーバ３８はＤＳＣＨを基地局２８1-1からユーザ機器ユニット（ＵＥ）３０に、図４Ｂの事象４Ｂ−５によって示されているように、実際の電力レベルを用いて２次的セルのために空中インタフェース３２により送信する。以前のシナリオと類似した方法で、事象４Ｂ−４で決定されるような電力レベルが用いられて無線トランシーバ３８の実際の電力レベルを設定する。それから、無線トランシーバ３８は、図４Ｂの事象４Ｂ−５によって示されているように、実際の電力レベルを用いて空中インタフェース３２により基地局２８1-1からユーザ機器ユニット（ＵＥ）３０にＤＳＣＨデータを送信する。
【００６３】
図３Ｃは、基地局２８1-1が異なる電力制御方式をもっていないとのシナリオの例を示している。図４Ｃは、図３Ｃのシナリオで送信されるあるメッセージの例を示している。
【００６４】
基地局２８1-1が異なる電力制御方式をもっていないか或いはサポートをしていないという事実は、ユーザ機器ユニット（ＵＥ）３０からのセル状態通知メッセージが図３Ｃと図４Ｃに基地局２８1-1に到達していない破線（“Ｘ”がそのようなメッセージには付加されている）によって示されているという事実によって反映されている。本発明において、無線ネットワーク制御局（ＲＮＣ）２６1は、基地局２８1-1が異なる電力制御方式をもっていないか或いはサポートをしていないという事実に対して気づいてはいない。事実、本発明において、無線ネットワーク制御局（ＲＮＣ）２６1は、前のシナリオとは類似の方法のようにそのオフセット値と公称電力レベルとを設定し、そして、それらの値を夫々、メッセージ４Ｃ−１と４Ｃ−３とを用いて送信する。基地局２８1-1が異なる電力制御方式をもっていないか或いはサポートをしていないという事実はさらに、事象４Ｃ−４としてＤＳＣＨ送信電力レベルコントローラ１１０がその接続に関与するセルのための実際の電力レベルを公称の電力レベルであると決定するという事実によって描かれている。それから、無線トランシーバ３８は、図４Ｃの事象４Ｃ−５によって示されているように、実際の電力レベルを用いて空中インタフェース３２により基地局２８1-1からユーザ機器ユニット（ＵＥ）３０にＤＳＣＨを送信する。
【００６５】
基地局２８1-1が異なる電力制御方式をもっていないか或いはサポートをしていないという図３Ｃと図４Ｃのシナリオにおいて、おそらくは、無線ネットワーク制御局（ＲＮＣ）２６1から基地局２８1-1にはオフセット値が送信される必要はないであろう。従って、メッセージ４Ｃ−１は図４Ｃのシナリオからは最適化されて省略されても良い。
【００６６】
前述の３つのシナリオは従って、代表的な形で、本発明では、もしセルがプライマリセルであるなら、無線ネットワーク制御局が基地局に用いられる電力オフセット（ＰDSCH-primary）を提供していることを図示している。このことは、もしユーザプレーンにおいて示された電力レベルがＰDSCHであるなら、（事象４Ｘ−４の１つにおいてＤＳＣＨ送信電力レベルコントローラ１１０によって決定されるように）次の電力レベルを適用することを意味している。即ち、（１）もしＤＳＣＨがプライマリセルにより搬送されるなら、実際の電力レベルはＰDSCH−ＰDSCH-primaryであり、（２）もしＤＳＣＨがプライマリではないセルにより搬送されるなら、その実際の電力レベルはＰDSCHである。
【００６７】
もしセルがプライマリセル（ＰDSCH-primary）であるなら、用いられる電力オフセットは、上述したメッセージ４Ａ−２から４Ｃ−２の方法のようにして、ＤＳＣＨを確立するとき、ＣＲＮＣから基地局に信号送信される。或いは、その電力オフセットは他の手段（例えば、以下に説明するように基地局で局所的に）により構成されても良い。
【００６８】
ＣＲＮＣは基地局が（この付加的なオフセットに基づいて）改善されたＤＳＣＨ電力制御方式をサポートするかどうかを知る必要はないので、ＣＲＮＣは、結果として得られる電力がプライマリではないセルについてＰDSCHであるように、常にユーザ・プレーンでスケジュールされたデータにその電力レベルを設定することができる。もし基地局が改善されたＤＳＣＨ電力制御方式をサポートしていないなら、また、もしＤＳＣＨがプライマリセルによって搬送されるなら、このレベルを用いる。これに対して、もし基地局が改善されたＤＳＣＨ電力制御方式をサポートしているなら、もしセルがプライマリセルであるなら、その電力レベルにＰDSCH−ＰDSCH-primaryを設定し、従って、ＤＳＣＨを搬送するセルがプライマリセルであるなら、効果的にその電力を削減する。
【００６９】
図３Ｄは、基地局２８1-1がＤＳＣＨ送信電力レベルを決定する上で用いるオフセット値の基地局での入力のために構成されたとのシナリオの例を示している。図４Ｄは、図３Ｄのシナリオで送信されるあるメッセージの例を示している。図３Ｄと図４Ｄの実施形態とシナリオにおいて、ＤＳＣＨ電力制御機能１００はオフセット計算器１０４をもつ必要はない。むしろ、基地局２８1-1には、図３Ｄに示されるように、オフセット入力ユニット１１２が備えられる。オフセット入力ユニット１１２により、別のネットワークノードからのオフセット値の通信を必要とするのではなくむしろ、基地局２８1-1においてオフセット値の局所的な入力或いは構成を可能にしている。
【００７０】
基地局２８1-1におけるオフセット値の局所的な入力或いは構成は種々の方法で達成される。例えば、オフセット値は、例えば、ローカル維持管理端末から、遠隔的に位置した維持管理端末から、或いは（おそらくは基地局用の構成要素管理システムを介して）ネットワーク管理システムから、基地局において構成される。これら全ての場合において、オフセット値は直接的に或いは間接的に運用者によって制御される。間接的には、例えば、局所的な無線状態を考慮する機能によってそのようにされる。
【００７１】
他の点について、図３Ｄと図４Ｄのシナリオは、図３Ａと図４Ａのシナリオ（その場合には、基地局２８1-1は接続はプライマリセルに関与することが通知される）或いは図３Ｂと図４Ｂのシナリオ（その場合には、基地局２８1-1は接続はプライマリではないセルに関与することが通知される）のいずれか１つに類似している。プライマリ或いはプライマリではない場合は図３Ｄと図４Ｄのシナリオが適用できるので、図３Ｄと図４Ｄのセル状態通知メッセージ４Ｄ−２は一般的に示されている。図３Ｄと図４Ｄのシナリオについての局所的な入力或いは構成は、図４Ｄにおいて事象４Ｄ−１として示されている。前のシナリオにおいてそうであったように、ＤＳＣＨ電力制御機能１００の公称電力計算器１０２は、ＤＳＣＨに用いられる公称の電力レベルを決定し、そして、無線ネットワーク制御局（ＲＮＣ）２６1はメッセージ４Ｄ−３で公称電力レベルを通信する。事象４Ｄ−４として、基地局２８1-1のＤＳＣＨ送信電力レベルコントローラ１１０は空中インタフェースによりＤＳＣＨをユーザ機器ユニット（ＵＥ）３０に送信する際に用いられる実際の電力レベルを決定する。図４Ｄにおける一般的な表現からすると、事象４Ｄ−４はセルがプライマリセルである場合には事象４Ａ−４の方法で（例えば、オフセット値を減算することにより実際の電力レベルを取得して）、或いはそのセルがプライマリではないセルである場合には事象４Ｂ−４の方法で（例えば、公称電力レベルを実際の電力レベルとして用いて）実行されることを理解すべきである。前のシナリオではそうであるように、無線トランシーバ３８は、図４Ｄの事象４Ｄ−５によって示されているように、実際の電力レベルを用いて空中インタフェース３２により基地局２８1-1からユーザ機器ユニット（ＵＥ）３０にＤＳＣＨデータを送信する。
【００７２】
前述のシナリオから分かるように、この特徴的な側面の１つにおいて、本発明は、電力レベル決定ユニット或いは送信電力レベルコントローラ１１０を有する基地局に関するものであり、そのコントローラは、基地局が空中インタフェースによりセルにおけるユーザ機器ユニットにデータを送信するために、その接続により用いられる共通転送チャネルについての電力レベルを決定する。その電力レベル決定ユニットは選択的に電力オフセット値を用いてその電力レベルを決定する。その電力レベル決定ユニットは、ユーザ機器ユニット（ＵＥ）との接続に関与するセルがプライマリセルであるなら（図３Ａと図４Ａのシナリオの方法のようにして）、電力オフセット値を用いて電力レベルを決定するが、そのセルがプライマリではないセル（例えば、２次的セル）であるなら（図３Ｂと図４Ｂのシナリオの方法のようにして）、電力レベルを決定するために電力オフセット値を利用しない。オフセット値は、（図３Ｄと図４Ｄのシナリオの方法のようにして）無線ネットワーク制御局から獲得しても良いし、或いは基地局において局所的に構成されても良い。
【００７３】
図４Ｅは、図３Ａのシナリオと図３Ｂのシナリオの混合であるシナリオで送信されるあるメッセージの例を示している。特に、図４Ｅのシナリオは、メッセージ４Ｅ−１として基地局２８1-1にオフセット値をダウンロードする無線ネットワーク制御局（ＲＮＣ）２６1で始まる。時間的に適当な時点で、基地局２８1-1には接続に関与するセルがプライマリセルであることが通知される。基地局２８1-1がプライマリな基地局として留まる一方で、図４Ｅのシナリオは図４Ａのそれに似ている。例えば、メッセージ４Ｅ−３として、無線ネットワーク制御局は基地局２８1-1に対してそのセルでユーザ機器ユニット（ＵＥ）３０のために利用されるＤＳＣＨのついての公称電力レベルをダウンロードする。前のシナリオでそうであったように、メッセージ４Ｅ−３はユーザ・プレーン・フレーム・プロトコルにあり、従って、ＤＳＣＨデータを同様に搬送できる。図４Ｅの事象４Ｅ−４は、ユーザ機器ユニット（ＵＥ）３０との接続によりセルで利用されるＤＳＣＨについての実際のＤＳＣＨ電力レベルをその電力オフセット値（メッセージ４Ｅ−１を介して得られる）を公称の電力値（メッセージ４Ｅ−３を介して得られる）から減算することにより計算して実際の電力レベルを決定する基地局２８1-1を示している。事象４Ｅ−４で決定されたような電力レベルは無線トランシーバ３８の実際の電力レベルを設定するために利用される。それから、無線トランシーバ３８は、図４Ｅの事象４Ｅ−５によって示されているように、実際の電力レベルを用いて空中インタフェース３２により基地局２８1-1からユーザ機器ユニット（ＵＥ）３０にＤＳＣＨデータを送信する。
【００７４】
図４Ｅのシナリオはさらに、基地局２８1-1によってサービスを受けるセルがその後にユーザ機器ユニット（ＵＥ）３０に関与する接続について、プライマリセルであることからプライマリではない或いは２次的なセルに変化することを示している。この点に関して、図４Ｅは基地局２８1-1に２次的セルの状態通知メッセージ４Ｅ−６を送信するユーザ機器ユニット（ＵＥ）３０を示している。メッセージ４Ｅ−６の通知の結果として、事象４Ｅ−８として、基地局２８1-1のＤＳＣＨ送信電力レベルコントローラ１１０は今や、図３Ｂと図４Ｂのシナリオと類似の方法で、例えば、実際の電力レベルが公称電力レベル（例えば、メッセージ４Ｅ−７によって基地局２８1-1に通信されるように）に等しくなるようにして、ＤＳＣＨについての実際の電力レベルを計算する。それから、無線トランシーバ３８は、図４Ｅの事象４Ｅ−９によって示されているように、再計算された実際の電力レベルを用いて空中インタフェース３２によりからユーザ機器ユニット（ＵＥ）３０に基地局２８1-1からＤＳＣＨデータを送信する。
【００７５】
図４Ｅのシナリオのように、図４Ｆは、図３Ａのシナリオと図３Ｂのシナリオの混合であるシナリオを示している。図４Ｆのシナリオにおいて、しかしながら、オフセット値は無線ネットワーク制御局（ＲＮＣ）２６1から受信されるのではなく、その代わり（図３Ｄのように）、基地局において局所的に入力或いは構成される。図３Ｄと図４Ｄのシナリオでそうであるように、図４Ｆのシナリオについての局所的な入力或いは構成は事象４Ｆ−１として示される。
【００７６】
ただ１つのオフセット値メッセージが無線ネットワーク制御局から基地局に送信されるとして前述のシナリオでは図示され説明された。しかしながら、当業者であれば、無線ネットワーク制御局が以前に設定された電力オフセット値を変更し、それ以後には異なる或いは更新された電力オフセット値をもつ別のメッセージを送信しても良いことを理解するであろう。そのようなことは、例えば、ユーザ機器ユニット（ＵＥ）との通信品質が悪い接続状態において発生するかもしれない。
【００７７】
図５は、いくらかより詳細に、本発明の限定的ではないＲＮＣノード２６の例を図示している。図５のＲＮＣノード２６は、たまたまスイッチ１２０をもつ交換を基本とするノードとなっている。スイッチ１２０はＲＮＣノード２６の他の構成要素を内部接続するためにサービスを行う。そのような他の構成要素は、内線端末１２２1から１２２nとともに内線端末１２４を含んでいる。内線端末１２２1から１２２nは本質的には、ＲＮＣノード２６をＲＮＣノード２６によってサービスを受ける基地局２８に接続するために機能し、内線端末１２４はＲＮＣノード２６をＩｕインタフェースを通ってコアネットワークに接続する。
【００７８】
ＲＮＣノード２６のさらに別の構成要素は、ダイバーシティ・ハンドオーバ・ユニット１２６、ＡＬＴユニット１２８、コーデックス１３０、タイミングユニット１３２、データ・サービス・アプリケーション・ユニット１３４、及びメインプロセッサ１４０を含む。当業者であれば、これら構成要素の機能を一般的には認識するであろうし、なお、ＡＬＴユニット１２８は、例えば、多重化及び逆多重化及び（随意的には）セルの異なるプロトコルに関するキューイングなどを備えるユニットである。
【００７９】
図６は、本発明の別の実施形態に従う、基地局（ＢＳ）２８の例のより詳細を限定的ではない方法で図示している。ＲＮＣノード２６について言えば、図６の基地局（ＢＳ）ノード２８は、基地局（ＢＳ）ノード２８の他の構成要素を内部接続するためにサービスを行うスイッチ２２０を有する交換を基本とするノードである。そのような他の構成要素は内線端末２２２、ＡＬＴユニット２２８、ＢＳメインプロセッサ２４０、インタフェースボード２４２を含む。
【００８０】
内線端末２２２は基地局（ＢＳ）ノード２８を無線ネットワーク制御局（ＲＮＣ）ノード２６に接続し、従って、Ｉｕｂインタフェースを有している。無線ネットワーク制御局（ＲＮＣ）ノード２６の場合がそうであるように、ＡＬＴユニット２２８は、例えば、多重化及び逆多重化及び（随意的には）セルの異なるプロトコルに関するキューイングなどを備えるユニットである。
【００８１】
図６に図示された基地局（ＢＳ）ノード２８の実施形態は、多数のサブラックをもつラックに収められる。各サブラックは１つ以上のボード、例えば、そこにマウントされる回路ボードをもっている。第１のサブラック２５０は、内線端末２２２、ＡＬＴユニット２２８、ＢＳメインプロセッサ２４０、及びインタフェースボード２４２の夫々についてのボードを含んでいる。インタフェースボード２４２の各々は、別のサブラックのボード、例えば、送信器ボード２６０の１つ或いは受信器ボード２７０の１つに接続される。各受信器ボード２７０は対応する送信器ボード２６０におけるある送信器／受信器資源を共有するために接続され、送信器ボード２６０は増幅器とフィルタボード２８０の対応する１つに接続する。増幅器とフィルタボード２８０は適切なアンテナ３９に接続される。例えば、インタフェースボード２４２1-Tは送信器ボード２６０1に接続される一方、インタフェースボード２４２1-Rは受信器ボード２７０1に接続される。次に、送信器ボード２６０1と受信器ボード２７０1のペアは、増幅器とフィルタボード２８０1に接続される。類似の接続は、送信器ボード２６０2と受信器ボード２７０2の第２のペアに対しても存在し、それらは、インタフェースボード２４２2-Tとインタフェースボード２４２2-Rとに夫々インタフェースする。従って、図２の各トランシーバ３８は、送信器ボード２６０と、受信器ボード２７０と、増幅器とフィルタボード２８０とを含むサブラックを有している。
【００８２】
１つの限定的ではない実施形態の例において、基地局（ＢＳ)ノード２８はＡＴＭを基本にするノードであり、それはインタフェースボード２４２を用いて種々のＡＴＭインタフェース機能を実行する。送信器ボード２６０と受信器ボード２７０とは各々、いくつかの機器を含む。例えば、各送信器ボード２６０は、その対応するインタフェースボード２４２に接続されるインタフェースのような不図示の要素、符号化器、変調器、及びベースバンド送信器を含む。加えて、送信器ボード２６０は、受信器ボード２７０と共用する送信器／受信器資源を含む。各受信器ボード２７０は、その対応するインタフェースボード２４２に接続されるインタフェースのような不図示の要素、復号化器、復調器、及びベースバンド受信器を含む。各増幅器及びフィルタボード２８０は、ＭＣＰＡ及びＬＮＡ増幅器のような増幅器を含む。
【００８３】
図６の基地局（ＢＳ）ノード２８の例において、ＢＳメインプロセッサ２４０はＤＳＣＨ送信電力レベルコントローラ１１０を実行する。図５に示された無線ネットワーク制御局（ＲＮＣ）ノード２６の例では、メインプロセッサ１４０はＤＳＣＨ電力制御機能１００を実行する。
【００８４】
本発明は次のような多くの利点を有している。
【００８５】
即ち、基地局が改善されたＤＳＣＨ電力制御方式をサポートしているかどうかに関わりなく、ＣＲＮＣは常にユーザプレーンにおいてスケジュールされたデータにＤＳＣＨの同じ電力レベルを設定する。ＣＲＮＣにおいて、基地局が改善されたＤＳＣＨ電力制御方式をサポートしているかどうかに基づいて決定がなされる必要はない。
【００８６】
もし、基地局が改善されたＤＳＣＨ電力制御方式をサポートしていないなら、ＤＳＣＨの電力レベルは３ＧＰＰの１９９９年リリースの仕様に従って設定されるであろう。
【００８７】
ＤＳＣＨの電力レベルは、基地局が改善されたＤＳＣＨ電力制御方式をサポートしているかどうかに関わりなく、全く同じ方法でＣＲＮＣにより設定される。もし、基地局が改善されたＤＳＣＨ電力制御方式をサポートしているなら、もしＤＳＣＨがプライマリセルにより搬送されるなら、より低い電力レベルが用いられる。
【００８８】
結果として、改善されたＤＳＣＨ電力制御方式は非常に少ないパラメータによって制御され、非常にスムーズな方法で無線アクセスネットワークに導入される。
【００８９】
ベンダーは、もしＤＳＣＨがＢＳにおけるプライマリセルによって搬送されるなら、用いられる電力オフセット（ＰDSCH-primary）を構成することにより（ＣＲＮＣから信号が送られることなく）その他の点では３ＧＰＰの１９９９年リリースの仕様に基づいている基地局において既に改善されたＤＳＣＨ電力制御方式を実施する選択をすることができる。
【００９０】
さらにその上、ベンダーは、もしＤＳＣＨが３ＧＰＰのリリース４の仕様に基づいているＢＳにおけるプライマリセルによって搬送されるなら、用いられる電力オフセット（ＰDSCH-primary）の構成の可能性を提供する選択をすることができる。この構成された電力オフセットは、例えば、もしＣＲＮＣが何の電力オフセットの信号を発信していないなら用いられ、例えば、もしＣＲＮＣが３ＧＰＰの１９９９年リリースの仕様に基づいているなら、それがその場合である。
【００９１】
本発明を最も実際的で好適な実施形態であると現在考えられているものに関連して説明したが、本発明は開示された実施形態によって限定されるものではなく、それとは反対に添付した特許請求の範囲の精神と範囲の中に含まれる種々の変形例や同等の構成を含むことが意図されていることを理解すべきである。
【図面の簡単な説明】
【００９２】
【図１】本発明が都合良く採用される移動体通信システムの例を示す図である。
【図２】ユーザ機器ユニット（ＵＥ）局、無線ネットワーク制御局、及び基地局の一部を含むＵＭＴＳ地上無線アクセス網の単純化された機能ブロック図である。
【図３Ａ】図２のＵＭＴＳ無線アクセス網の一部を示すブロック図であり、特に、ユーザ機器ユニット（ＵＥ）３０との接続に関与するセルがプライマリセルとして指定され、異なる電力制御方式をもつ基地局によりサービスを受けるシナリオを示している。
【図３Ｂ】図２のＵＭＴＳ無線アクセス網の一部を示すブロック図であり、特に、ユーザ機器ユニット（ＵＥ）３０との接続に関与するセルが２次的セル或いはプライマリではないセルとして指定され、異なる電力制御方式をもつ基地局によりサービスを受けるシナリオを示している。
【図３Ｃ】図２のＵＭＴＳ無線アクセス網の一部を示すブロック図であり、特に、異なる電力制御方式をもっていない基地局とのシナリオを示している。
【図３Ｄ】図２のＵＭＴＳ無線アクセス網の一部を示すブロック図であり、特に、ＤＳＣＨ伝送電力レベルを決定する上で用いるオフセット値の基地局での入力のために構成された基地局をもつシナリオを示している。
【図４Ａ】図３Ａのシナリオで送信されるあるメッセージの例を示す図である。
【図４Ｂ】図３Ｂのシナリオで送信されるあるメッセージの例を示す図である。
【図４Ｃ】図３Ｃのシナリオで送信されるあるメッセージの例を示す図である。
【図４Ｄ】図３Ｄのシナリオで送信されるあるメッセージの例を示す図である。
【図４Ｅ】図３Ａのシナリオと図３Ｂのシナリオの混合であるシナリオで送信されるあるメッセージの例を示す図である。
【図４Ｆ】図３Ａのシナリオと図３Ｂのシナリオの混合であるシナリオで送信されるあるメッセージの例を示す図であるが、また図３Ｄのようにオフセット値の基地局での入力のために構成される基地局を示している。
【図５】本発明の１つの実施形態に従うＲＮＣノードの例を示す図である。
【図６】本発明の１つの実施形態に従う基地局ノードの例を示す図である。
【図１】
2004528746.tif 000003
【図２】
2004528746.tif 000004
【図３Ａ】
2004528746.tif 000005
【図３Ｂ】
2004528746.tif 000006
【図３Ｃ】
2004528746.tif 000007
【図３Ｄ】
2004528746.tif 000008
【図４Ａ】
2004528746.tif 000009
【図４Ｂ】
2004528746.tif 000010
【図４Ｃ】
2004528746.tif 000011
【図４Ｄ】
2004528746.tif 000012
【図４Ｅ】
2004528746.tif 000013
【図４Ｆ】
2004528746.tif 000014
【図５】
2004528746.tif 000015
【図６】
2004528746.tif 000016
【国際公開パンフレット】
2004528746.tif 000017
2004528746.tif 000018
2004528746.tif 000019
2004528746.tif 000020
2004528746.tif 000021
2004528746.tif 000022
2004528746.tif 000023
2004528746.tif 000024
2004528746.tif 000025
2004528746.tif 000026
2004528746.tif 000027
2004528746.tif 000028
2004528746.tif 000029
2004528746.tif 000030
2004528746.tif 000031
2004528746.tif 000032
2004528746.tif 000033
2004528746.tif 000034
2004528746.tif 000035
2004528746.tif 000036
2004528746.tif 000037
2004528746.tif 000038
2004528746.tif 000039
2004528746.tif 000040
2004528746.tif 000041
2004528746.tif 000042
2004528746.tif 000043
2004528746.tif 000044
2004528746.tif 000045
2004528746.tif 000046
2004528746.tif 000047
2004528746.tif 000048
2004528746.tif 000049
2004528746.tif 000050
2004528746.tif 000051
2004528746.tif 000052
2004528746.tif 000053
2004528746.tif 000054
2004528746.tif 000055
2004528746.tif 000056
2004528746.tif 000057
2004528746.tif 000058
【国際調査報告】
2004528746.tif 000059
2004528746.tif 000060
2004528746.tif 000061